(57)【要約】【課題】  従来電熱による海水の淡水化濃縮塩水化は、効率が良くないとされてきた。それは何度該試みを断行しても結果は限られていた。【解決手段】電気コンロ１００Ｖ・３００Ｗ〜６００Ｗに薬かんをかけて湯を沸かしていたとき、例えば溶岩石を暖めて、それで沸とうさせると、該溶岩石は暖められて余分な熱量を発生するのではないかと思い、思を巡らすうちに、油分を含む竹に思い至った。その稈部の燃焼は木材より２０％熱量が増加するというこであり熱源にハロゲンヒーターを用い竹材の油分と抱き合せると唯単なる電熱の時より２−３倍の淡水化、濃縮塩水化の進行がみられた。【選択図】図１
2019193923.tif 000002
【特許請求の範囲】
【請求項１】
直径１０ｍｍ、長さ約５０ｃｍの透明耐熱ガラス管の中に収まった１００Ｖ、４５０Ｗのハロゲンヒーターを熱源とする蒸留装置であるが、この熱源は直径５０ｃｍ長さ約５００ｍの円筒形であり上からの滴下海水を、該円筒型の片側のみに受けて回転するところの回転体の芯軸に不動のものとして固定されており、該回転体の
2019193923.tif 000013
１ｍ位離して設置するのであるが、その内部が減圧されており、密閉されたカラス壁の覆いに結露させることで淡水が得られ該蒸発体の直下に置かれた容器に海水の濃縮水は溜められることで定格熱量内でできる丈海水から多大の淡水と濃縮水を得ることを目的とした蒸発体とガラスを覆われたところの内部が減圧された蒸発結露促進装置。
【請求項２】
上から海水が回転体の片側のみに滴下されて縦回転体の胴は厚さ６〜７ｍｍ巾５ｃｍ長さ約５０ｃｍの竹の板が竹の艶面を内側にして且つ回転体の回転方向に対して約３０度くらい内側に入り込んでいるので
2019193923.tif 000014
付けられており、それを覆うように２ｍｍ位の穴があいた粗目の麻布で包まれた
2019193923.tif 000015
形ちづくるところの請求項１の蒸溜装置。
【請求項３】
直径１０ｍｍ長さ約５０ｃｍの透明耐熱ガラス管にはその背後に該竹板３枚が艶のある面を内側にして円弧状に１０ｃｍ位離して設置されており、該ハロゲンヒーターの熱を強力に該回転体の胴部に当てるようにしたところの請求項１の蒸溜装置
【請求項４】
熱源ヒーターを芯軸に持たせかけて不動のものとして、固定した該蒸発体中心として１ｍ位四方八方に離して該回転体を覆うのであるが中心の回転体もそれを覆うところの四角錐台も水を入れた浅い容器の中に置き、且つ該回転体の直下にも同様に残溜濃縮塩水を受ける容器が水の中に置かれており、これらの淡水及び、濃縮塩水は適宜該減圧結露を集めるガラスの覆いの外へ運び出され、高さ約１ｍの四角錐台の上部は煙突状に直径１００ｍｍの耐熱塩ビ管が繋がれており、高さ約１．５ｍのところに直径２００ｍｍの４５°の曲げソケットが繋がれた直管は同様に浅い淡水が入った容器の中に下され、又該斜管には中途に１００ｍｍ×５０ｍｍの４５°の分岐ソケットが３個繋がれて、その突出５０ｍｍの斜管は直径１００ｍｍ斜管の
2019193923.tif 000016
を逆向きに受けて繋がれこの逆向に５０ｍｍの管を受けた該斜管と平行になっておりその直径１００ｍｍの直管の上下はその設置された換気扇を設置して、該全体の減圧をはかるところの請求項１の蒸溜装置。
【発明の詳細な説明】
【技術分野】
【背景技術】
【０００１】蒸溜装置には
▲１▼多段効用蒸発法
▲２▼多段フラッシュ蒸発法
▲３▼自己蒸気圧縮法    等々がある。
これらは産油国の多大の原油をふんだんに使用して日量算出が２万〜１０万ｍ３の淡水化を行っている。【０００２】  これらの数値をみるときチマチマした淡水化は寄付くしまのない受け付けられないもののようであるが、本願では竹に含まれるところの油分を活用することで１００Ｖ、４５０Ｗのハロゲンヒーターの熱源と連動させることで該熱量のの相乗効果を湧出させて、海水淡水化の時間的量的増大を図り、もってミクロの関門を潜らせたところの蒸発結露が出来る丈広くとった減圧槽内でのより多くの淡水を得るべく、又濃縮塩水を得るべく追求した。
流れ学におけるレイノルズ数に期待して、ミクロの関門の通過させるところの時間は量的変化の速度を速めることとした。
竹の稈の熱量はｋｇ当５０００Ｋｃａｌということであり、木材より２０％高い。これは竹には多少の油分が含まれるということであろうが、燃焼の１歩手前で熱源を操作することは容易なことではないが敢へてそのことは挑戦した。
−世界百科大辞典  講談社  ０００年版−
又水１Ｋｇを蒸発させるには熱量５４０Ｋｃａｌが必要とされる。
−同百科辞典−
これらの蒸発に関する原理原則を踏まえた上で、蒸発結露を促して、
2019193923.tif 000003
を追求した。【０００３】  海水を淡水化濃縮塩水化をはかるにはミクロの世界をくぐると
2019193923.tif 000004
マクロ−ミクロ−マクロの一連の過程には、資本主義社会の下での性急な操作が要求されるのであるが、その過程において一定の道筋さへ確立されるならば後はその道筋に沿った作業を進めるだけである
2019193923.tif 000005
滴下させることで、円筒ドームに築き上げたこれらの胴体部分に内側からハロゲンヒーターの１００Ｖ、４５０Ｗの熱源二本で該浸潤
2019193923.tif 000006
回収し、もって海水の淡水化、濃縮塩水化へ転換させることとした。
後は距離にからんだ量的問題が残る。（熱源と蒸発体間の）
【先行技術文献】
【特許文献】
【０００３】海水淡水化装置  特開２０１２−２７９６３号公報
太陽熱造水装置  特開２００５−１９３０８３号公報
特開２００３−２３６３０１号公報
【非特許文献】
【０００４】おもしろ話で理解する熱力学入門  日刊工業新聞社２００３年
【発明の概要】
【発明が解決しようとする課題】
【０００５】  一般に電熱で水１Ｋｇを蒸発させる熱量は５４０Ｋｃａｌが必要とされている。−世界大百科辞典−講談社  ０００年
本願の１００Ｖ・４５０Ｗのハロゲンヒーターを浸潤粗目麻布に当てるだけでは燃焼の一歩手前で止めるにしてもそれだけでは正に１Ｋｇの水を蒸発させるには５４０Ｋｃａｌの熱量が必要とされる。
このハロゲンヒーターの熱源だけではどうしても充分な熱量でないばかりか、１Ｋｇの水を蒸発させるには５４０Ｋｃａｌの熱量が必要とされ
2019193923.tif 000007
として油分を含む竹を、熱源と海水との間に介在させることで
2019193923.tif 000008
の熱量が期待できるのではなかろうかと思った
そこで１００Ｖ４５０Ｗのハロゲンヒーターによって暖められ蒸発した蒸気が通り易く、且つ熱源の熱が浸潤してきた海水に当ること
2019193923.tif 000009
粗目の麻布で包むことで反射体として竹板の仂きが増しとおりがよくなった
【課題を解決するための手段】
【０００６】直径約５０ｃｍの回転体の胴に当る部分に嵌め込む２５本の竹の板
2019193923.tif 000010
包んで固定し、且又その竹板のそれぞれが回転方向に約３０度傾けて等間隔に並列させることで、該回転体の芯軸に不動のものとして固定された１００Ｖ・４５０Ｗのハロゲンヒーターからの熱の照射によって竹板
2019193923.tif 000011
共々より速かに蒸発が促される
同時に該回転体の片側のみに滴下された海水はそれぞれの竹板に浸潤したことで、その重みで回転が促され、蒸発作用によって海水が滴下されない片側においては浸潤されない海水の蒸発作用によって、海水の重みから解放されて、該回転体の回転を促進する仂きをなす。
これらの浸潤蒸発、乾燥が熱源である１００Ｖ・４５０Ｗのハロゲンヒーターの熱量が竹の蓄熱効果によて大巾に増幅された熱源となり、回転速度の増大に繋がり、引いては淡水化の増大に繋かることとなった
【発明の効果】
【０００７】熱源である１００Ｖ・４５０Ｗのハロゲンヒータの熱量に竹の蓄熱効果を該回転体の仕組により効果的に発輝するように配置することで該熱源の熱量が２〜３倍に増大させることになった。
よって該回転体の回転速度が速まり、同時に淡水化、濃縮塩水化の速度が増すこととなり、より多くの淡水、濃縮塩水が得られた。【０００８】該回転体を広めの正六角錐台のガラス製の結露回収体で包み且つ減圧をはかることでよりその淡水、濃縮塩水が得られ、それは初期の単なるハロゲン・ヒーターのみによる淡水化、濃縮塩水化の約２〜３倍の伸長をみることとなった。【０００９】水１Ｋｇを蒸発させるには熱量約５４０Ｋｃａｌが必要とされる。
ことは先に述べたところであるが、加熱によって加熱面にスケールが付着する。
そのスケール（缶石）は、
▲１▼硬いスケールであるところの硫酸マグネシュームであり
▲２▼軟いスケールであるところの炭酸カルシューム
▲３▼軟いスケールであるところの水酸化マグネシュームである。
そのうち▲２▼、▲３▼は水で洗い流すことができる。
よって該転換速度を維持するには、構成機具の洗浄が必要である。
高圧洗浄が必要。
【図面の簡単な説明】
【００１０】
【図１】  減圧結露回収槽の中に収まった蒸発装置本願装置全体図（揚水、滴下装置は除く）
【図２】  蒸発装置
【図３】  蒸発装置の中に収まった熱源ヒーターと蓄熱効果が大きい竹材で構成する回転胴部を横視図。
【図４】  回転胴部を構成する竹材に巻いた粗目の麻布
【図５】  回転体の芯軸に固定された熱源の熱の増大を図る照射板（３枚の竹材からなる）
【発明を実施するための形態】
【００１１】本願蒸発回転体の胴部を構成する蓄熱効果が優れた竹材（図４）は充分に濡らすことが必要である。
加熱前の一昼夜くらい（２４ｈ）は水槽に浸して、その内部深く染み込ませた後、海水の滴下及び加熱を実施する。
【００１２】  熱源であるところの１００Ｖ−４５０Ｗのハロゲンヒーターを該回転体の芯軸に沿わせて２本使用する。
従ってそれは９００Ｗｈの電力を消費する。
ここで水１Ｋｇを蒸発させるには５４０Ｋｃａｌの熱量が必要とされる。それは５４００００ｃａｌである
【００１３】本願は地表の７割を占める海水を陸上生物の使用に値する真水に変換しようとすると同時に、海水の３％を占める塩をも採取しようとするものでありその需要は多大である
【符号の説明】
【００１４】１．蒸発促進体        ２．結露回収体
３  結露回収体内減圧誘導ファン
2019193923.tif 000012
６．芯軸、反射板      ７  加工竹材
８．濃縮塩水受け容器  ９．ハロゲンヒーター
１０．竹板反射板      １１．芯軸
１２．固定支持棒
【図１】
2019193923.tif 000017
【図２】
2019193923.tif 000018
【図３】
2019193923.tif 000019
【図４】
2019193923.tif 000020
【図５】
2019193923.tif 000021